(57)【特許請求の範囲】
【請求項１】
水平面の設置面の上に備えられる架台部と、
前記架台部に対し垂直に固定されるフレーム部と、
前記フレーム部に固定され、蓄電装置を固定する変位吸収部と
を備え、
前記変位吸収部は、略直方体状の形状の中央部を略コの字形状に形成した後、両端をさらに相反する方向に略Ｌ字形状に屈曲した形状の部材であり、前記変位吸収部の両端は前記フレーム部と所定の締結具で結合される部位と成し、前記変位吸収部の中央部は前記蓄電装置と所定の締結具で結合する部位と成し、外部から加えられる力によって前記フレーム部から前記変位吸収部に力が加えられた場合、前記変位吸収部は、力を加えられた方向とは逆の方向に変形する蓄電装置の支持部材。
【請求項２】
水平面もしくは垂直面の設置面の上に備える架台部と、
前記架台部に対し平行に固定されるフレーム部と、
前記フレーム部に固定され蓄電装置と固定する変位吸収部と
を備え、
前記変位吸収部は、略直方体状の形状の中央部を略コの字形状に形成した後、両端をさらに相反する方向に略Ｌ字形状に屈曲した形状の部材であり、前記変位吸収部の両端は前記フレーム部と所定の締結具で結合される部位と成し、前記変位吸収部の中央部は前記蓄電装置と所定の締結具で結合する部位と成し、外部から加えられる力によって前記フレーム部から前記変位吸収部に力が加えられた場合、前記変位吸収部は、力を加えられた方向とは逆の方向に変形する蓄電装置の支持部材。
【請求項３】
水平面の設置面の上に架台部を備え、
前記架台部に対しフレーム部を垂直に固定し、
外部から加えられる力によって前記フレーム部から力が加えられた場合、力が加えられた方向とは逆の方向に変形する変位吸収部を介して、前記フレーム部に蓄電装置を固定することとし、
前記変位吸収部は、略直方体状の形状の中央部を略コの字形状に形成した後、両端をさらに相反する方向に略Ｌ字形状に屈曲した形状の部材であり、前記変位吸収部の両端を前記フレーム部と所定の締結具で結合し、前記変位吸収部の中央部を前記蓄電装置と所定の締結具で結合することによって、前記蓄電装置を前記変位吸収部を介して前記フレーム部に固定する
蓄電装置の支持方法。
【請求項４】
水平面もしくは垂直面の設置面の上に架台部を備え、
前記架台部に対しフレーム部を平行に固定し、
外部から加えられる力によって前記フレーム部から力が加えられた場合、力が加えられた方向とは逆の方向に変形することを特徴とする変位吸収部を介して、前記フレーム部に蓄電装置を固定することとし、
前記変位吸収部は、略直方体状の形状の中央部を略コの字形状に形成した後、両端をさらに相反する方向に略Ｌ字形状に屈曲した形状の部材であり、前記変位吸収部の両端を前記フレーム部と所定の締結具で結合し、前記変位吸収部の中央部を前記蓄電装置と所定の締結具で結合することによって、前記蓄電装置を前記変位吸収部を介して前記フレーム部に固定する
蓄電装置の支持方法。
【発明の詳細な説明】
【技術分野】
【０００１】
本発明は、蓄電装置を支持する支持部材及び蓄電装置の支持方法に関する。
【背景技術】
【０００２】
外部から蓄電装置へ力が加わった場合に、蓄電装置の故障を防止する支持部材が知られている。
【０００３】
支持部材の一例が特許文献１に記載されている。特許文献１に記載された支持部材としての蓄電池収納装置は、蓄電池収納箱を収納箱格納体に挿入するための最低限のクリアランスを確保する。また、蓄電池収納装置は、地震等で外部から過大な力が加わった際に蓄電池収納箱の振れ幅を抑える振れ抑え部材として機能する屈曲板部を備えている。この屈曲板部は、外部から過大な力が加わって、蓄電池収納箱の後部が収納箱格納体の中で振れた場合、蓄電池収納箱の上部後端に触れて蓄電池収納箱の振れ幅をダメージが及ばない最小限の振れ幅に抑える。また、屈曲板部にゴム等の緩衝材を貼っておくと、振れを抑制する効果は一層大きくなる。
【先行技術文献】
【特許文献】
【０００４】
【特許文献１】特開２０１４−１９１９１１号公報
【発明の概要】
【発明が解決しようとする課題】
【０００５】
しかしながら、上述した特許文献１に記載された技術は、蓄電池収納箱へ想定以上に過大な力が加わった場合、蓄電池収納箱は高速で振れる。このため、蓄電池収納箱の上部後端が屈曲板部に高速で触れた場合、それに伴って発生する衝撃が原因で蓄電池収納箱の内容物が損傷するおそれがある。したがって、特許文献１に記載された技術は、蓄電池収納箱、すなわち蓄電装置へ加わる力を軽減できないという問題点がある。
【０００６】
本発明の目的の一例は、上述した問題点を解決できる支持部材及び蓄電装置の支持方法を提供することにある。具体的には、本発明の目的の一例は、外部から蓄電装置へ加わる力を軽減できる支持部材及び蓄電装置の支持方法を提供することにある。
【課題を解決するための手段】
【０００７】
本発明の一形態における第１の蓄電装置の支持部材は、水平面の設置面の上に備えられる架台部と、架台部に対し垂直に固定されるフレーム部と、フレーム部に固定され、蓄電装置を固定する変位吸収部とを備え、外部から加えられる力によってフレーム部が変位吸収部に力を加えた場合、変位吸収部は、力を加えられた方向とは逆の方向に変形することを特徴とする。
【０００８】
本発明の一形態における第２の蓄電装置の支持部材は、水平面もしくは垂直面の設置面の上に備える架台部と、架台部に対し平行に固定されるフレーム部と、フレーム部に固定され蓄電装置と固定する変位吸収部とを備え、外部から加えられる力によってフレーム部が変位吸収部に力を加えた場合、変位吸収部は、力を加えられた方向とは逆の方向に変形することを特徴とする。
【０００９】
本発明の一形態における第１の蓄電装置の支持方法は、水平面の設置面の上に架台部を備え、架台部に対しフレーム部を垂直に固定し、外部から加えられる力によってフレーム部から力が加えられた場合、力が加えられた方向とは逆の方向に変形する変位吸収部を介して、フレーム部に蓄電装置を固定する。
【００１０】
本発明の一形態における第２の蓄電装置の支持方法は、水平面もしくは垂直面の設置面の上に架台部を備え、架台部に対しフレーム部を平行に固定し、外部から加えられる力によってフレーム部から力が加えられた場合、力が加えられた方向とは逆の方向に変形することを特徴とする変位吸収部を介して、フレーム部に蓄電装置を固定する。
【発明の効果】
【００１１】
本発明によれば、外部から蓄電装置へ加わる力を軽減できるという効果が得られる。
【図面の簡単な説明】
【００１２】
【図１】図１は、本発明の第１の実施形態における支持部材１００の一例を示す正面図である。
【図２】図２は、設置面３００に設置され、蓄電装置２００が固定された支持部材１００の一例を示す正面図である。
【図３】図３は、第１の実施の形態における支持部材１００の変位吸収部１３０ａの一例を示す斜視図である。
【図４】図４は、蓄電装置２００の設置状態をｚ軸上方から見た場合の上面図である。
【図５】図５は、本発明の第１の実施形態の第１の変形例を示す側面図である。
【図６】図６は、本発明の第１の実施形態の第２の変形例を示す側面図である。
【図７】図７は、本発明の第２の実施形態における支持部材１０４の一例を示す正面図である。
【図８】図８は、本発明の第３の実施形態における支持部材１０５の一例を示す側面図である。
【発明を実施するための形態】
【００１３】
次に、本発明の実施形態について図面を参照して詳細に説明する。
【００１４】
［第１の実施の形態］
図１は、本発明の第１の実施の形態における支持部材１００の一例を示す正面図である。正面は、ｙ軸方向とする。図１を参照すると、支持部材１００は、架台部１１０とフレーム部１２０と２つの変位吸収部１３０ａ、１３０ｂと、を備える。なお、たとえば電源ケーブルやアースのような、蓄電装置２００が他の装置と電気的に接続するための部材については周知であるので、図面には記載しない。また、図２は、設置面３００に設置され、蓄電装置２００が固定された支持部材１００の一例を示す正面図である。
【００１５】
次に、第１の実施の形態における支持部材１００の構成について説明する。
【００１６】
架台部１１０は、設置面３００の上に備えられる。重量物である蓄電池を搭載した蓄電装置２００が架台部１１０の上に設置されるため、架台部１１０は蓄電装置２００の重量に耐えることのできる強度の材料と形状（厚さ）を選択する。また、架台部１１０は、後述するフレーム部１２０を固定するための機構を有していてもよい。
【００１７】
フレーム部１２０は、図２に示すように、架台部１１０の平面に対し垂直（ｚ軸方向）に固定され、後述する変位吸収部１３０ａ、１３０ｂを介して蓄電装置２００を固定し設置する部材である。図１および図２ではフレーム部１２０は、中心部を空けた矩形枠状の部材としているが、中心部を空けない板状の部材としてもよい。図１において、フレーム部１２０は、変位吸収部１３０ａ、１３０ｂを固定する位置に４つのネジ穴１４０ａ、１４０ｂ、１４０ｃ、１４０ｄを有する。このネジ穴１４０ａ〜１４０ｄの数と位置は、適宜決定してよい。たとえば図１ではフレーム部１２０は、２つの変位吸収部１３０ａ、１３０ｂを４つのネジ穴１４０ａ〜１４０ｄを介して固定する。フレーム部１２０は、３つの変位吸収部を固定する場合、ネジ穴を６つ設けてもよい。また、適切に変位吸収部がフレーム部に固定されていれば、フレーム部１２０が有するネジ穴の数は使用する変位吸収部の２倍でなくてもよい。フレーム部１２０は、２つの変位吸収部１３０ａ、１３０ｂを溶接のようなネジ止め以外の方法で固定してもよい。フレーム部１２０の架台部１１０への固定方法は、たとえば溶接やネジ止めに限られず、どのような方法でもよい。フレーム部１２０は、架台部１１０の機能を兼ねてもよい。この場合、設置面３００と接するフレーム部１２０の一部分が架台部１１０と同等の機能を有するため、架台部１１０は、支持部材１００の構成要素としては不要である。
【００１８】
変位吸収部１３０ａ、１３０ｂは、前述のとおりフレーム部１２０に蓄電装置２００をネジ止めによって固定するための部材である。図３は、変位吸収部１３０ａの一例を示す斜視図である。なお、変位吸収部１３０ｂは、変位吸収部１３０ａと同じ形状であるため図示を省略する。変位吸収部１３０ａ、１３０ｂは、ｘ軸方向に対向するフレーム部１２０の２つの辺の間に固定されている。
【００１９】
図１、図２、図３を参照すると、変位吸収部１３０ａは、４つのネジ穴１５０ａ〜１５０ｄを有する（ただしネジ穴１５０ｂは図３には図示されない）。変位吸収部１３０ａは、２つのネジ穴１５０ａ〜１５０ｂを介してフレーム部１２０にネジ止めされ、２つのネジ穴１５０ｃ〜１５０ｄを介して蓄電装置２００をネジ止めする。また、変位吸収部１３０ｂは、変位吸収部１３０ａと同様、４つのネジ穴１５０ｅ〜１５０ｈを有する。変位吸収部１３０ｂの２つのネジ穴１５０ｅ〜１５０ｆを介してフレーム部１２０にネジ止めされ、２つのネジ穴１５０ｇ〜１５０ｈを介して蓄電装置２００をネジ止めする。変位吸収部１３０ａ、１３０ｂは、略直方体状の形状の金属材料の中央部を２箇所９０度に屈曲し略コの字形状に形成した後、両端をさらに相反する方向に略Ｌ字形状に９０度に屈曲した部材である。
【００２０】
これにより、蓄電装置２００は、フレーム２００の面（正面側平面）に対して所定の高さの位置に固定される。変位吸収部１３０ａ、１３０ｂは、金属材料ではなく弾性を有する他の材料を使用してもよい。
【００２１】
図４（ａ）は、通常時の支持部材１００を使用した蓄電装置２００の設置状態をｚ軸上方から見た場合の上面図である。また、図４（ｂ）は、設置面３００の揺れによって、設置面３００からｘ軸の正の方向に力が加わった時の蓄電装置２００の設置状態をｚ軸上方から見た場合の上面図である。図４（ａ）および（ｂ）に示すように、支持部材１００が設置面３００からｘ軸の正の方向に力が加わる場合、変位吸収部１３０ａ（と図示しない変位吸収部１３０ｂ）は、その力の方向とは逆であるｘ軸の負の方向に撓む。このｘ軸の負の方向の撓みによって、蓄電装置２００の変位は、架台１１０およびフレーム部１２０の変位よりも小さくなる。そのため、蓄電装置２００が外部から受ける力は、架台１１０およびフレーム部１２０が設置面３００から受ける力よりも小さくなる。図４（ａ）および（ｂ）の例は、支持部材１００が設置面３００からｘ軸の正の方向に力が加わった場合であるが、支持部材１００がｘ軸の負の方向に力が加わった場合、変位吸収部１３０ａがｘ軸の正の方向に撓み、蓄電装置２００が外部から受ける力を小さくする。
【００２２】
変位吸収部１３０ａ、１３０ｂは、ゴムのような弾性材料によって構成されてもよい。この場合、変位吸収部１３０ａ、１３０ｂの形状は、必ずしも屈曲を必要としない。
【００２３】
蓄電装置２００が屋外に設置される場合、支持部材１００すなわち架台部１１０とフレーム部１２０と変位吸収部１３０ａ、１３０ｂは、屋外の環境に耐えうる材料を選択する必要がある。たとえば、前述のように変位吸収部１３０ａ、１３０ｂにゴムのような弾性材料を使用した場合、変位吸収部１３０ａ、１３０ｂの経年劣化の影響は考慮されてもよい。
【００２４】
次に、本発明の第１の実施の形態の効果について説明する。
【００２５】
上述した本実施形態における支持部材は、外部から蓄電装置へ加わる力を軽減することができる。
【００２６】
その理由は、以下のような構成を含むからである。即ち、第１に変位吸収部１３０ａ（と図示しない変位吸収部１３０ｂ）は、設置面からｘ軸の正の方向に力が加わった場合、ｘ軸方向に撓む。第２に、蓄電装置２００の変位は、架台１１０およびフレーム部１２０の変位よりも小さくなる。これにより、支持部材は、外部から蓄電装置へ加わる力を軽減するという効果が得られる。
【００２７】
［変形例］
また、変形例として、支持部材は、フレーム部が架台部に対し平行に固定されてもよい。設置面は垂直面、たとえば壁面であってもよい。
【００２８】
図５は、本発明の第１の実施形態の第１の変形例を示す側面図である。図５を参照すると、支持部材１０１のフレーム部１２１は、図１および図２に示すフレーム部１２０と同じ形状を有するが、架台部１１０に対し垂直ではなく、平行に固定されている。第１の実施の形態と同様、フレーム部１２１は、変位吸収部１３０ａと図示しない変位吸収部１３０ｂを介して蓄電装置２００を固定する。この場合も、第１の実施の形態と同様、変位吸収部１３０ａに沿った方向、すなわちｘ軸方向の正の方向および負の方向に外部から力が加わった場合、力を受けた方向と逆方向に変位吸収部１３０ａが撓む。したがって、蓄電装置２００の変位は、架台１１０およびフレーム部１２１の変位よりも小さくなる。このため、第１の変形例における支持部材１０１も外部から蓄電装置へ加わる力を軽減できる。
【００２９】
図６は、本発明の第１の実施形態の第２の変形例を示す側面図である。図６を参照すると、第１の実施形態の第１の変形例同様、支持部材１０２のフレーム部１２１は、架台部１１０に対し平行に固定されている。第１の変形例と異なる点は、設置面３０２が、鉛直方向の構造物（たとえば、壁）である点である。第１の実施の形態と同様、フレーム部１２１は、変位吸収部１３０ａと図示しない変位吸収部１３０ｂを介して蓄電装置２００を固定する。この場合も、第１の実施の形態と同様、変位吸収部１３０ａ、１３０ｂに沿った方向、すなわちｘ軸方向の正の方向および負の方向に外部から力が加わった場合、力を受けた方向と逆方向に変位吸収部１３０ａが撓む。したがって、蓄電装置２００の変位は、架台１１０およびフレーム部１２１の変位よりも小さくなる。このため、第２の変形例における支持部材１０２も外部から蓄電装置へ加わる力を軽減できる。
【００３０】
本発明の第１の変形例および第２の変形例における架台部１１０とフレーム部１２１は、別の個体ではなく、一体となっていてもよい。
【００３１】
［第２の実施の形態］
図７は、本発明の第２の実施の形態における支持部材１０３の一例を示す概略図である。図７を参照すると、支持部材１０３は、架台部１１０とフレーム部１２２と変位吸収部１３１と、を備える。
【００３２】
次に、第２の実施の形態における支持部材１０３の構成について説明する（架台部１１０は第１の実施の形態と同様のため説明を割愛する）。
【００３３】
フレーム部１２２は、図７に示すように、架台部１１０に対し所定の方法で垂直に固定され、後述する変位吸収部１３１を介して図示しない蓄電装置を所定の方法で固定し設置する部材である。
【００３４】
変位吸収部１３１は、前述のとおりフレーム部１２２と図示しない蓄電装置とを所定の方法で固定する部材である。また、変位吸収部１３１に沿った方向、すなわちｘ軸方向の正の方向および負の方向に外部から加えられる力によってフレーム部１２２が変位吸収部１３１に力を加えた場合、変位吸収部１３１は、力を加えられた方向とは逆の方向に変形することを特徴とする部材である。
【００３５】
次に、本発明の第２の実施の形態の効果について説明する。
【００３６】
上述した本実施形態における支持部材１０３も、第１の実施の形態の効果と同様、外部から蓄電装置へ加わる力を軽減することができる。
【００３７】
［第３の実施の形態］
図８は、本発明の第３の実施の形態における支持部材１０４の一例を示す概略図である。図８を参照すると、支持部材１０４は、架台部１１１とフレーム部１２３と変位吸収部１３１と、を備える。
【００３８】
次に、第３の実施の形態における支持部材１０４の構成について説明する（変位吸収部１３１は第２の実施の形態と同様のため説明を割愛する）。
【００３９】
架台部１１１は、設置面の上に備えられる。設置面は水平面でも、垂直面、たとえば壁面でも構わない。
【００４０】
フレーム部１２３は、図８に示すように、架台部１１０に対し所定の方法で平行に固定され、後述する変位吸収部１３１を介して図示しない蓄電装置を所定の方法で固定し設置する部材である。
【００４１】
次に、本発明の第３の実施の形態の効果について説明する。
【００４２】
上述した本実施形態における支持部材１０４も、第１の実施の形態の効果と同様、外部から蓄電装置へ加わる力を軽減することができる。また、本実施形態の効果は、水平面の設置面の上に架台部１１１を備えた場合でも、垂直面、たとえば壁面の設置面の上に架台部１１１を備えた場合でも第１の実施の形態の効果と同様である。
【００４３】
以上、各実施の形態を参照して本発明を説明したが、本発明は上記実施の形態に限定されるものではない。本発明の構成や詳細には、本発明のスコープ内で当業者が理解しえる様々な変更をすることができる。
【符号の説明】
【００４４】
１００、１０１、１０２、１０３、１０４    支持部材
１１０、１１１    架台部
１２０、１２１、１２２、１２３    フレーム部
１３０ａ、１３０ｂ、１３１    変位吸収部
１４０ａ、１４０ｂ、１４０ｃ、１４０ｄ、１５０ａ、１５０ｂ、１５０ｃ、１５０ｄ、１５０ｅ、１５０ｆ、１５０ｇ、１５０ｈ    ネジ穴
２００    蓄電装置
３００、３０２    設置面
【図１】
0006705643.tif 000002
【図２】
0006705643.tif 000003
【図３】
0006705643.tif 000004
【図４】
0006705643.tif 000005
【図５】
0006705643.tif 000006
【図６】
0006705643.tif 000007
【図７】
0006705643.tif 000008
【図８】
0006705643.tif 000009